(57)【要約】【課題】記憶媒体の寿命の短縮を低減できる電子機器を提供することを目的とする。【解決手段】メモリコントローラーと、記憶領域とを有し、メモリコントローラーは、記憶領域内に格納されているデータを削除する際に所定の容量単位で削除する記憶手段と、記憶手段にデータを記録する記録手段と、を備え、記憶手段は、複数のディレクトリを構成することができ、ディレクトリ毎に生成されたディレクトリ内に格納されているデータを管理するための管理情報を記憶することができ、記録手段は、記憶手段に管理情報を記録する際に、併せて、所定の容量単位以上離れた位置に管理情報のバックアップを記録する。【選択図】図１
2011123702.tif 000002
【特許請求の範囲】
【請求項１】
メモリコントローラーと、記憶領域とを有し、前記メモリコントローラーは、前記記憶領域内に格納されているデータを削除する際に所定の容量単位で削除する記憶手段と、
前記記憶手段にデータを記録する記録手段と、を備え、
前記記憶手段は、複数のディレクトリを構成することができ、前記ディレクトリ毎に生成された前記ディレクトリ内に格納されているデータを管理するための管理情報を記憶することができ、
前記記録手段は、前記記憶手段に管理情報を記録する際に、併せて、前記所定の容量単位以上離れた位置に前記管理情報のバックアップを記録する、
電子機器。
【請求項２】
前記所定の容量単位以上離れた位置は、前記所定の容量の整数倍離れた位置である、
請求項１に記載の電子機器。
【請求項３】
前記記憶手段は、前記管理情報のバックアップをｒｏｏｔディレクトリから辿れる領域に記憶する、
請求項１に記載の電子機器。
【発明の詳細な説明】
【技術分野】
【０００１】
本発明は電子機器に関し、特に、記憶媒体にデータの記録を行う電子機器に関する。
【背景技術】
【０００２】
特許文献１は、ファイルシステムによって管理されたデータ領域を有する記憶媒体と、データ領域のＦＡＴを含むファイル管理情報のコピーを記録するために記憶媒体内の異なる領域に設けられたバックアップ領域と、データ領域のファイル管理情報の異常を検出する異常検出手段と、異常検出手段でデータ領域のファイル管理情報の異常が検出されたときバックアップ領域に記録されている情報を用いてデータ領域のファイル管理情報をリストアするリストア手段とを備える電子カメラを開示する。
【先行技術文献】
【特許文献】
【０００３】
【特許文献１】特開２００５−１１５８５６号公報
【発明の概要】
【発明が解決しようとする課題】
【０００４】
しかしながら、上記特許文献１が開示する電子カメラは、ファイル管理情報を常にバックアップ領域にコピーされる。従って、記憶媒体内の特定の領域が頻繁に更新されることとなり、記憶媒体の寿命が短縮される恐れがある。
【０００５】
本発明は、記憶媒体の寿命の短縮を低減できる電子機器を提供することを目的とする。
【課題を解決するための手段】
【０００６】
上記課題を解決するために、本発明にかかる電子機器は、メモリコントローラーと、記憶領域とを有し、メモリコントローラーは、記憶領域内に格納されているデータを削除する際に所定の容量単位で削除する記憶手段と、記憶手段にデータを記録する記録手段と、を備え、記憶手段は、複数のディレクトリを構成することができ、ディレクトリ毎に生成されたディレクトリ内に格納されているデータを管理するための管理情報を記憶することができ、記録手段は、記憶手段に管理情報を記録する際に、併せて、所定の容量単位以上離れた位置に管理情報のバックアップを記録する。
【発明の効果】
【０００７】
本発明によれば、記憶媒体の寿命の短縮を低減できる電子機器を提供できる。
【図面の簡単な説明】
【０００８】
【図１】デジタルビデオカメラ１００の構成を示すブロック図
【図２】内蔵メモリ２９０の記憶領域の構成を示す模式図
【図３】内蔵メモリ２９０のディレクトリ構造の一例を示す模式図
【図４】ＦＡＴの構成を示す模式図
【図５】デジタルビデオカメラ１００による静止画像の記録動作を説明するためのフローチャート
【発明を実施するための形態】
【０００９】
〔１．実施の形態１〕
本発明をデジタルビデオカメラに適用した実施の形態１について図面を用いて説明する。
【００１０】
〔１−１．概要〕
本実施の形態にかかるデジタルビデオカメラ１００は、内蔵メモリ２９０を備える。内蔵メモリ２９０内には複数の記憶単位からなる記憶領域が存在する。それぞれの記録単位は、データの書き込みを受けることにより寿命が削られる。
【００１１】
本実施の形態にかかるデジタルビデオカメラ１００は、記憶媒体の寿命の短縮を比較的低減することができる。
【００１２】
〔１−２．構成〕
〔１−２−１．電気的構成〕
本実施の形態にかかるデジタルビデオカメラ１００の電気的構成について、図１を用いて説明する。図１は、デジタルビデオカメラ１００の構成を示すブロック図である。デジタルビデオカメラ１００は、ズームレンズ１１０等からなる光学系により形成された被写体像をＣＣＤイメージセンサー１８０で撮像する。ＣＣＤイメージセンサー１８０で生成された映像データは、画像処理部１９０で各種処理が施され、メモリカード２４０に格納される。また、メモリカード２４０に格納された映像データは、液晶モニタ２７０で表示可能である。以下、デジタルビデオカメラ１００の構成を詳細に説明する。
【００１３】
デジタルビデオカメラ１００の光学系は、ズームレンズ１１０、ＯＩＳ１４０、フォーカスレンズ１７０を含む。ズームレンズ１１０は、光学系の光軸に沿って移動することにより、被写体像を拡大又は縮小可能である。また、フォーカスレンズ１７０は、光学系の光軸に沿って移動することにより、被写体像のピントを調整する。
【００１４】
ＯＩＳ１４０は、内部に光軸に垂直な面内で移動可能な補正レンズを有する。ＯＩＳ１４０は、デジタルビデオカメラ１００の振れを相殺する方向に補正レンズを駆動することにより、被写体像の振れを低減する。
【００１５】
ズームモータ１３０は、ズームレンズ１１０を駆動する。ズームモータ１３０は、パルスモータやＤＣモータ、リニアモータ、サーボモータなどで実現してもよい。ズームモータ１３０は、カム機構やボールネジなどの機構を介してズームレンズ１１０を駆動するようにしてもよい。検出器１２０は、ズームレンズ１１０が光軸上でどの位置に存在するのかを検出する。検出器１２０は、ズームレンズ１１０の光軸方向への移動に応じて、ブラシ等のスイッチによりズームレンズの位置に関する信号を出力する。
【００１６】
ＯＩＳアクチュエータ１５０は、ＯＩＳ１４０内の補正レンズを光軸と垂直な面内で駆動する。ＯＩＳアクチュエータ１５０は、平面コイルや超音波モータなどで実現できる。また、検出器１６０は、ＯＩＳ１４０内における補正レンズの移動量を検出する。
【００１７】
ＣＣＤイメージセンサー１８０は、ズームレンズ１１０等からなる光学系で形成された被写体像を撮像して、映像データを生成する。ＣＣＤイメージセンサー１８０は、露光、転送、電子シャッタなどの各種動作を行う。
【００１８】
画像処理部１９０は、ＣＣＤイメージセンサー１８０で生成された映像データに対して各種の処理を施す。画像処理部１９０は、ＣＣＤイメージセンサー１８０で生成された映像データに対して処理を施し、液晶モニタ２７０に表示するための映像データを生成したり、メモリカード２４０に再格納するための映像データを生成したりする。例えば、画像処理部１９０は、ＣＣＤイメージセンサー１８０で生成された映像データに対してガンマ補正やホワイトバランス補正、傷補正などの各種処理を行う。また、画像処理部１９０は、ＣＣＤイメージセンサー１８０で生成された映像データに対して、Ｈ．２６４規格やＭＰＥＧ２規格に準拠した圧縮形式等により映像データを圧縮する。画像処理部１９０は、ＤＳＰやマイコンなどで実現可能である。
【００１９】
コントローラー２１０は、全体を制御する制御手段である。コントローラー２１０は、半導体素子などで実現可能である。コントローラー２１０は、ハードウェアのみで構成してもよいし、ハードウェアとソフトウェアとを組み合わせることにより実現してもよい。コントローラー２１０は、マイコンなどで実現できる。
【００２０】
メモリ２００は、画像処理部１９０及びコントローラー２１０のワークメモリとして機能する。メモリ２００は、例えば、ＤＲＡＭ、強誘電体メモリなどで実現できる。
【００２１】
液晶モニタ２７０は、ＣＣＤイメージセンサー１８０で生成した映像データが示す画像や、メモリカード２４０から読み出した映像データが示す画像を表示可能である。
【００２２】
ジャイロセンサー２２０は、圧電素子等の振動材等で構成される。ジャイロセンサー２２０は、圧電素子等の振動材を一定周波数で振動させコリオリ力による力を電圧に変換して角速度情報を得る。ジャイロセンサー２２０から角速度情報を得、この揺れを相殺する方向にＯＩＳ内の補正レンズを駆動させることにより、デジタルビデオカメラ１００は、使用者による手振れを補正する。
【００２３】
カードスロット２３０は、メモリカード２４０を着脱可能である。カードスロット２３０は、機械的及び電気的にメモリカード２４０と接続可能である。メモリカード２４０は、フラッシュメモリや強誘電体メモリなどを内部に含み、データを格納可能である。
【００２４】
内部メモリ２８０は、フラッシュメモリや強誘電低メモリなどで構成される。内部メモリ２８０は、デジタルビデオカメラ１００全体を制御するための制御プログラム等を格納する。
【００２５】
操作部材２５０は、使用者から画像の撮像指示を受け付ける部材である。ズームレバー２６０は、使用者からズーム倍率の変更指示を受け付ける部材である。
【００２６】
内蔵メモリ２９０は、着脱不可能なメモリデバイスである。具体的には、メモリコントローラーとフラッシュメモリとで構成される。
【００２７】
〔１−２−２．内蔵メモリのファイルシステム構成〕
内蔵メモリ２９０のファイルシステム構成について図２、図３を用いて説明する。図２は、内蔵メモリ２９０の記憶領域の構成を示す模式図である。図３は、内蔵メモリ２９０のディレクトリ構造の一例を示す模式図である。
【００２８】
内蔵メモリ２９０に記録されているファイルシステム構成を説明する。内蔵メモリ２９０に記録されているファイルシステムはＦＳ情報、ＦＡＴ、データ領域から構成されている。ＦＳ情報はＦＡＴ開始論理アドレス、ＦＡＴサイズ、ｒｏｏｔディレクトリの先頭アドレス、セクタサイズ、クラスタサイズ等を含むものである。
【００２９】
ここで、セクタサイズとは、コントローラー２１０が内蔵メモリ２９０にデータを書き込む場合や、コントローラー２１０が内蔵メモリ２９０からデータを読み出す場合の最小のサイズである。また、クラスタサイズとは、ＦＡＴが表すデータ領域のサイズである。つまり、クラスタサイズは、複数のセクタからなるデータ領域の最小割り当て単位である。
【００３０】
データ領域はディレクトリ、ディレクトリバックアップ、ファイル実データを記録する領域である。ＦＡＴはデータ領域の空き領域、複数クラスタに跨るデータのリンク情報を管理するものである。以下、本ファイルシステム構成に関して詳細に説明する。
【００３１】
データ領域はクラスタサイズごとに区切られ、クラスタサイズで区切られた各領域には先頭から順にクラスタ番号が割り振られる。データ領域に記録されているディレクトリには、そのディレクトリの直下にあるディレクトリ及びファイルの先頭クラスタ番号を含む管理情報が記録されている。このように、ディレクトリに次の階層のディレクトリの管理情報を記録することにより、図３に示すような階層構造を表すことができる。
【００３２】
データ領域にはｒｏｏｔディレクトリを含む各ディレクトリが記録されている領域から内蔵メモリ２９０のＥＲＡＳＥサイズ分離れた領域にディレクトリバックアップが記録される。ディレクトリバックアップは各々のディレクトリバックアップが割り当てられている領域同士をＦＡＴで連結し、ディレクトリバックアップが一つのファイル（ディレクトリバックアップファイル）としてみなせるようになっている。図３の構造のようにディレクトリバックアップファイルの管理情報はｒｏｏｔディレクトリに記録されている。ディレクトリバックアップファイルの管理情報には先頭クラスタ番号に最初に作成したディレクトリバックアップの領域に対応するクラスタ番号を設定、属性にはリードオンリー属性、システム属性、隠しファイル属性を設定している。
【００３３】
内蔵メモリ２９０に図３のような構造になるデータが記録されており、コントローラー２１０が￥ＤＣＩＭ￥ＣＤＰＦＱ￥０００１．ＪＰＧファイルのデータを読み出そうとする場合、以下の手順で\ＤＣＩＭ￥ＣＤＰＦＱ￥０００１．ＪＰＧファイルのデータ読み出しを行う。
【００３４】
コントローラー２１０はＦＳ情報内にあるｒｏｏｔディレクトリの先頭論理アドレスからｒｏｏｔディレクトリの内容を読み出す。コントローラー２１０はｒｏｏｔディレクトリに記録されているＤＣＩＭディレクトリの先頭クラスタ番号からＤＣＩＭディレクトリの内容を読み出す。同様にＤＣＩＭディレクトリに記録されているＣＤＰＦＱディレクトリの先頭クラスタ番号からＣＤＰＦＱディレクトリの内容を読み出す。そして、コントローラー２１０はＣＤＰＦＱディレクトリに記録されている０００１．ＪＰＧファイルの先頭クラスタ番号及び先頭クラスタ番号に対応するＦＡＴから０００１．ＪＰＧファイルのデータを読み出す。
【００３５】
〔１−２−３．ＦＡＴの説明〕
ＦＡＴの構成について図４を用いて説明する。図４は、内蔵メモリ２９０が図２のようなディレクトリ構造でデータを記憶している際のＦＡＴの構成を示す模式図である。
【００３６】
ＦＡＴは特定サイズごとに区切られ、特定サイズで区切られた各領域には先頭から順にＦＡＴ番号が割り振られる。クラスタ番号とＦＡＴ番号は1対１に対応しており、クラスタ番号に対応するデータ領域が空き領域であるか否かがクラスタ番号に対応するＦＡＴ番号の領域に記録されている。また、データ領域に記録されたデータが複数クラスタに跨る場合、ＦＡＴ番号には対応するクラスタ番号の領域に記録されたデータの続きが記録されているデータ領域に対応するクラスタ番号が記録される。データの終端に対応するＦＡＴにはＥＯＦマーカ（ファイル終端マーカ）が記録される。（例：図４の０００１．ＪＰＧ）
コントローラー２１０は、内蔵メモリ２９０に新たなディレクトリバックアップを記録した際に、そのクラスタ番号に対応するＦＡＴがディレクトリバックアップ同士を連結し、最後に作ったディレクトリバックアップの領域に対応するＦＡＴにＥＯＦマーカを記録する。（１）ｒｏｏｔ（２）ＤＣＩＭ（３）ＣＤＰＦＱの順にディレクトリバックアップを作成した場合、ＦＡＴは図４のようになる。
【００３７】
〔１−２−４．本発明との対応〕
内蔵メモリ２９０は、発明の記憶手段の一例である。コントローラー２１０は、本発明の記録手段の一例である。
【００３８】
〔１−３．記録動作〕
次に、本実施の形態にかかるデジタルビデオカメラ１００における静止画像の記録動作について図５を用いて説明する。図５は、デジタルビデオカメラ１００による静止画像の記録動作を説明するためのフローチャートである。
【００３９】
使用者は、操作部材２５０のうちのモード選択ダイヤルを操作することにより、デジタルビデオカメラ１００を静止画撮影モードに設定できる（Ｓ１００）。静止画撮影モードに設定されると、コントローラー２１０は、使用者からの撮影指示があるまで待機する（Ｓ１１０）。使用者からの撮影指示があると、コントローラー２１０は、撮影指示を受け付けた際に撮像された画像のＲＡＷデータをメモリ２００に記憶させる（Ｓ１２０）。
【００４０】
メモリ２００にＲＡＷデータを記憶させると、コントローラー２１０は、生成する画像データを記憶するディレクトリが内蔵メモリ２９０内にあるか否かを判断する（Ｓ１３０）。
【００４１】
画像データを記憶するディレクトリが内蔵メモリ２９０内に無いと判断した場合、コントローラー２１０は、内蔵メモリ２９０をＥＲＡＳＥサイズごとに区切った領域の最初のクラスタで且つ、未使用領域となっている領域を探す（Ｓ１４０）。さらに、コントローラー２１０は、未使用領域を見つけると、その第１の未使用領域からＥＲＡＳＥサイズ分離れた領域が未使用領域（第２の未使用領域）かどうかＦＡＴから判断し、その領域も未使用領域だった場合、第１の未使用領域をディレクトリの領域として割り当てる（Ｓ１４０）。
【００４２】
第１の未使用領域をディレクトリの領域と割り当てると、コントローラー２１０は、第２の未使用領域をディレクトリバックアップ領域として割り当てる（第２の未使用領域にＥＯＦマーカを記録する）（Ｓ１５０）。ディレクトリバックアップファイルのＥＯＦマーカが記録されているＦＡＴを第２の未使用領域に対応するクラスタ番号を示すように更新する（Ｓ１５０）。
【００４３】
第２の未使用領域をバックアップ領域に割り当てると、コントローラー２１０は、内蔵メモリ２９０の第１の未使用領域にディレクトリの初期データを記録する（Ｓ１６０）。第１の未使用領域にディレクトリの初期データを記録すると、コントローラー２１０は、内蔵メモリ２９０の第２の未使用領域にディレクトリバックアップの初期データを記録する（Ｓ１７０）。
【００４４】
第２の未使用領域にディレクトリバックアップの初期データを記録した場合、及び、ステップＳ１３０において、画像データを記録するディレクトリが内蔵メモリ２９０内にあると判断した場合には、コントローラー２１０は、そのディレクトリに画像データを記録するファイルの管理情報を作成する（Ｓ１８０）。管理情報を作成すると、コントローラー２１０は、作成したファイルが格納されているディレクトリの内容と、そのディレクトリバックアップの内容とを同期させる（Ｓ１９０）。
【００４５】
ディレクトリの内容と、ディレクトリバックアップの内容とを同期させると、コントローラー２１０は、メモリ２００内のＲＡＷデータに基づいてＪＰＥＧ形式のデータ生成するよう画像処理部１９０を制御する（Ｓ２００）。ＪＰＥＧ形式のデータが生成されると、コントローラー２１０は、内蔵メモリ２９０内にＪＰＥＧ形式のデータを記録する（Ｓ２１０）。
【００４６】
このように、本実施の形態にかかるデジタルビデオカメラ１００は、内蔵メモリ２９０に格納するデータの管理情報を記憶する際に、併せて、管理情報のバックアップを記録する。また、この管理情報のバックアップは、オリジナルの管理情報から、内蔵メモリ２９０のＥＲＡＳＥサイズ分離れた領域に格納される。このように構成する理由について次に説明する。
【００４７】
内蔵メモリ２９０内のメモリコントローラーは、管理情報の更新をする際、若しくは、管理情報の更新をした後に、管理情報が格納されていた領域をＥＲＡＳＥ処理する。また、本実施の形態においては、コントローラー２１０は、管理情報と同期を取りながら管理情報のバックアップも更新する。この場合にも、メモリコントローラーは、管理情報のバックアップを更新する際、若しくは、管理情報のバックアップを更新した後に、管理情報が格納されていた領域をＥＲＡＳＥする。従って、管理情報と管理情報のバックアップとが同一のＥＲＡＳＥ単位の領域に存在すると、頻繁にＥＲＡＳＥ処理が行われる。その結果、管理情報が存在する領域の寿命が短くなる。
【００４８】
そこで、本実施の形態においては、管理情報のバックアップは、オリジナルの管理情報から、内蔵メモリ２９０のＥＲＡＳＥサイズ分離れた領域に格納される。これにより、管理情報が格納されているＥＲＡＳＥ単位の領域と、管理情報のバックアップが格納されているＥＲＡＳＥ単位の領域とは、異なる領域となる。従って、同一の領域となる場合と比較すると、ＥＲＡＳＥ処理が行われる領域が分散されることとなる。その結果、内蔵メモリ２９０全体としての寿命が短くなることを低減できる。
【００４９】
また、本実施の形態にかかるデジタルビデオカメラ１００は、管理情報のバックアップを、ｒｏｏｔディレクトリ内において一つのファイルとして扱うこととした。このように構成する理由について次に説明する。
【００５０】
仮に、管理情報のバックアップをファイルとして扱わなかった場合、内蔵メモリ２９０のファイルシステムの整合性を確認した際に、管理情報のバックアップを格納している領域が不正な領域であると判断される。従って、本実施の形態においては、管理情報のバックアップをｒｏｏｔディレクトリ内において一つのファイルとして扱うこととした。これにより、内蔵メモリ２９０のファイルシステムの整合性を確認したとしても、管理情報のバックアップを格納している領域が不正な領域であると判断されることがなくなる。
【００５１】
また、本実施の形態においては、管理情報のバックアップを新たに生成した際に、既に生成されている管理情報のバックアップにＦＡＴ上で連結することとした。これにより、ｒｏｏｔディレクトリ内に管理情報のバックアップを示すファイルが多量に生成されてしまうことを防止することができる。
〔２．他の実施の形態〕
以上により、本発明の実施の形態として、実施の形態１を説明した。しかし、本発明は、これらには限定されない。そこで、本発明の他の実施の形態を本欄にまとめて説明する。
【００５２】
実施の形態１にかかるデジタルカメラ１００の光学系及び駆動系は、図１に示すものに限定されない。例えば、図１では３群構成の光学系を例示しているが、他の群構成のレンズ構成としてもよい。また、それぞれのレンズは、１つのレンズで構成してもよく、複数のレンズから構成されるレンズ群として構成してもよい。
【００５３】
また、実施の形態１では、撮像手段として、ＣＣＤイメージセンサー１８０を例示したが、本発明はこれに限定されない。例えば、ＣＭＯＳイメージセンサーで構成してもよく、ＮＭＯＳイメージセンサーで構成してもよい。
【００５４】
また、実施の形態１では、内蔵メモリ２９０における管理情報のバックアップの記録方法について説明したが、本発明はこれに限定されない。例えば、メモリカード内の管理情報のバックアップや、ハードディスクドライブ等の記憶媒体においても適用可能である。
【００５５】
また、実施の形態１では、管理情報のバックアップをオリジナルの管理情報からＥＲＡＳＥ単位分離れた領域に記録することとしたが、本発明はこれに限定されない。例えば、ＥＲＡＳＥ単位分の整数倍離れていてもよいし、ＥＲＡＳＥ単位の１．５倍離れていてもよい。要するに、ＥＲＡＳＥ単位分以上離れていればよい。
【００５６】
また、実施の形態１では、オリジナルの管理情報と、管理情報のバックアップとをＥＲＡＳＥ単位分離れている領域に記録することとした。その他の形態として、第１のディレクトリの管理情報と、第２のディレクトリの管理情報とをＥＲＡＳＥ単位分離れている領域に記録してもよい。これにより、各ディレクトリへのアクセスが平均的に行われる場合には、内蔵メモリの寿命が短くなることを低減できる。
【産業上の利用可能性】
【００５７】
本発明は、デジタルビデオカメラやデジタルスチルカメラ等の記憶媒体を有する電子機器に適用できる。
【符号の説明】
【００５８】
１００    デジタルカメラ
１１０    ズームレンズ
１２０    検出器
１３０    ズームモータ
１４０    ＯＩＳ
１５０    ＯＩＳアクチュエータ
１６０    検出器
１７０    フォーカスレンズ
１８０    ＣＣＤイメージセンサー
１９０    画像処理部
２００    メモリ
２１０    コントローラー
２２０    ジャイロセンサー
２３０    カードスロット
２４０    メモリカード
２５０    操作部材
２６０    ズームレバー
２７０    液晶モニタ
２８０    内部メモリ
【図１】
2011123702.tif 000003
【図２】
2011123702.tif 000004
【図３】
2011123702.tif 000005
【図４】
2011123702.tif 000006
【図５】
2011123702.tif 000007